(57)【特許請求の範囲】
【請求項１】
筐体が嵌合して形成される上側、下側をヒンジで折り畳み展開する折り畳み式携帯電話機の構造において、
展開時に前記上側に対向し、長手方向に伸張する前記下側の筐体端面の両側に位置する複数の下側突き当てリブと、
前記下側に対向し、長手方向に伸張する前記上側の筐体端面の両側に位置し、前記複数の下側突き当てリブと対向し展開時にそれぞれ突き当たる複数の上側突き当てリブとを備えることを特徴とする折り畳み式携帯電話機の構造。
【請求項２】
前記複数の下側突き当てリブ、前記複数の上側突き当てリブは前記筐体と同材料で形成されることを特徴とする、請求項１に記載の折り畳み式携帯電話機の構造。
【請求項３】
前記複数の下側突き当てリブ、前記複数の上側突き当てリブは前記筐体と異なる材料を組み合わせて形成されることを特徴とする、請求項１に記載の折り畳み式携帯電話機の構造。
【請求項４】
前記複数の下側突き当てリブ、前記複数の上側突き当てリブは、プラスチック、金属、ゴムの少なくとも１つから形成されることを特徴とする、請求項９に記載の折り畳み式携帯電話機の構造。
【請求項５】
前記複数の下側突き当てリブ、前記複数の上側突き当てリブは、前記下側の筐体端面、前記上側の筐体端面の横手方向で折り畳み時に前記ヒンジから遠い方に形成されることを特徴とする、請求項１に記載の折り畳み式携帯電話機の構造。
【請求項６】
前記複数の下側突き当てリブ、前記複数の上側突き当てリブは、前記下側の筐体端面、前記上側の筐体端面の横手方向で折り畳み時に前記ヒンジから近い方に形成されることを特徴とする、請求項１に記載の折り畳み式携帯電話機の構造。
【請求項７】
アンテナが前記下側に設けられる場合に、前記複数の下側突き当てリブのうち１つが前記アンテナの収容筐体部分に形成されることを特徴とする、請求項１に記載の折り畳み式携帯電話機の構造。
【請求項８】
電池パックが前記下側に設けられる場合に、前記複数の下側突き当てリブが電池パックに形成されることを特徴とする、請求項１に記載の折り畳み式携帯電話機の構造。
【請求項９】
前記複数の下側突き当てリブ、前記複数の上側突き当てリブは、前記下側の筐体端面、前記上側の筐体端面の両側に対称に形成されることを特徴とする、請求項１に記載の折り畳み式携帯電話機の構造。
【請求項１０】
前記複数の下側突き当てリブ、前記複数の上側突き当てリブは、前記下側の筐体端面、前記上側の筐体端面の両側に非対称に形成されることを特徴とする、請求項１に記載の折り畳み式携帯電話機の構造。
【請求項１１】
前記複数の下側突き当てリブ、前記複数の上側突き当てリブは、前記下側の筐体端面、前記上側の筐体端面に等間隔に同数形成されることを特徴とする、請求項１に記載の折り畳み式携帯電話機の構造。
【請求項１２】
前記複数の下側突き当てリブ、前記複数の上側突き当てリブは、数の点で異なり、部分的に、１つのリブが２つのリブに跨って突き当たるように、形成されることを特徴とする、請求項１に記載の折り畳み式携帯電話機の構造。
【請求項１３】
前記複数の下側突き当てリブ、前記複数の上側突き当てリブは、高さの点で異なり、対向する前記下側突き当てリブ、前記上側突き当てリブがそれぞれ突き当たったときに同じ高さになるように、形成されることを特徴とする、請求項１に記載の折り畳み式携帯電話機の構造。
【請求項１４】
前記複数の下側突き当てリブは、高さの点で異なり、前記複数の上側突き当てリブは、高さの点で異なり、対向する前記下側突き当てリブ、前記上側突き当てリブがそれぞれ突き当たったときに同じ高さになるように、形成されることを特徴とする、請求項１に記載の折り畳み式携帯電話機の構造。
【請求項１５】
前記複数の下側突き当てリブ、前記複数の上側突き当てリブは、突き当て広さの点で異なるように、形成されることを特徴とする、請求項１に記載の折り畳み式携帯電話機の構造。
【請求項１６】
前記複数の下側突き当てリブ、前記複数の上側突き当てリブは、さらに、前記突き当て面角度を有するように形成されることを特徴とする、請求項１５に記載の折り畳み式携帯電話機の構造。
【請求項１７】
前記複数の下側突き当てリブ、前記複数の上側突き当てリブは、雲形形状に形成されることを特徴とする、請求項１に記載の折り畳み式携帯電話機の構造。
【請求項１８】
前記複数の下側突き当てリブ、前記複数の上側突き当てリブは、一方を山形の形状に、他方を谷形の形状に形成されることを特徴とする、請求項１に記載の折り畳み式携帯電話機の構造。
【請求項１９】
前記複数の下側突き当てリブ、前記複数の上側突き当てリブは、一方を丸形の形状に、他方を丸みのある台形の形状に形成されることを特徴とする、請求項１に記載の折り畳み式携帯電話機の構造。
【請求項２０】
前記複数の下側突き当てリブ、前記複数の上側突き当てリブは、四角形状又は円柱形状に形成されることを特徴とする、請求項１に記載の折り畳み式携帯電話機の構造。
【請求項２１】
前記複数の下側突き当てリブ、前記複数の上側突き当てリブは、円柱形状の場合、その先端部に円錐又は円柱の嵌合部を有し、四角柱の場合にはその先端部に四角柱の嵌合部を有するように形成されることを特徴とする、請求項１に記載の折り畳み式携帯電話機の構造。
【発明の詳細な説明】
【０００１】
【産業上の利用分野】
本発明は折り畳み式携帯電話機の構造に関する。特に、本発明は、複数型を起工した際に筐体の金型の調整を容易にし、使用に起因するフロントとリアの筐体嵌合のずれをなくすことを可能にする折り畳み式携帯電話機の構造に関する。
【０００２】
【従来の技術】
近年、折り畳み式携帯電話機の急速な普及に伴い、想定していない環境で、乱暴な使用にさらされ、このような環境で、使用に対して製品品質を保持する必要があり、さらに、小型化、デザイン性の追求による構造設計的な制約も多い。
【０００３】
図１３は本発明の前提となる折り畳み式携帯電話機の折り畳み状態の外観を示す斜視図であり、図１４は図１３の折り畳み式携帯電話機の展開状態の外観を示す図である。なお、全図を通して同一の構成要素には同一の番号、符号を付して説明を行う。
本図１３に示すように、折り畳み式携帯電話機は上側１０、下側１１、ヒンジ２０で構成され、下側１１はその端部でヒンジ２０に固定され、上側１０はその端部でヒンジ２０に回転可能に取り付けられている。
【０００４】
本図１４（ａ）の側面図、本図１４（ｂ）の背面図に示すように、折り畳み式携帯電話機の上側１０、下側１１の筐体はフロント１２、リアカバー１３で構成される。
本図１３に示すように、ヒンジ２０の付近にある上側１０のリアカバー１３の筐体端面１４にはその長手方向の中央付近に上側突き当て面１４Ａが位置し、ヒンジ２０の付近にある下側１１のリアカバー１３の筐体端面１５にはその長手方向の中央付近に下側突き当て面１５Ａが位置する。
ヒンジ２０には下側固定部２１、２２、２３が設けられ、下側固定部２１、２２、２３は下側１１をヒンジ２０の軸に固定する。
【０００５】
さらに、ヒンジ２０には上側回転取付部２４、２５が設けられ、上側回転取付部２４は下側固定部２１、２２の間に位置し、上側回転取付部２５は、下側固定部２２、２３の間に位置し、上側１０を下側１１の軸に回転可能に取り付ける。なお、フロント１２は折り畳んだ状態の内側になる部分であり、上側１０のフロント１２はＬＣＤの表示部で構成され、下側１１のフロント１２はキーで構成される。
リアカバー１３は折り畳んだ状態の外側になる部分であり、上側１０のリアカバー１３は基地局と送受信を行うアンテナ４１を有し、下側１１のリアカバー１３は電力を供給する電池パック４２を有する。
【０００６】
折り畳み式携帯電話機のリアカバー１３は折り畳んだ状態の外側になる部分であり、フロント１２と嵌合し、内部に基板等の部品を収容する。
折り畳み式携帯電話機の折り畳み状態からの展開時に上側突き当て面１４Ａが下側突き当て面１５Ａに突き当たり、折り畳み式携帯電話機の展開が停止する。下側固定部２１、２２、２３のうち、下側固定部２１、２３は下側１１のフロント１２がヒンジ２０に固定され、下側固定部２２は下側１１のフロント１２とリアカバー１３が接触位置２２Ａで接触してヒンジ２０に固定される。
【０００７】
他方、上側回転取付部２４、２５のうち、上側回転取付部２５は上側１０のフロント１２がヒンジ２０に回転可能に取り付けられ、上側回転取付部２４は、上側１０のフロント１２とリアカバー１３が接触位置２４Ａで接触してヒンジ２０に回転可能に取り付けられる。
なお、接触位置２２Ａが折り畳み式携帯電話機の折り畳み時に外部から見える場所であるので、デザイン上、下側１１のフロント１２とリアカバー１３の間に隙間が生じないように、下側１１のフロント１２とリアカバー１３の嵌合が行われる。
【０００８】
同様に、接触位置２４Ａが折り畳み式携帯電話機の折り畳み時に外部から見える場所であるので、デザイン上、上側１０のフロント１２とリアカバー１３の間に隙間が生じないように、上側１０のフロント１２とリアカバー１３の嵌合が行われる。
前述のように、上記の折り畳み式携帯電話機では、折り畳みから展開時に、上側突き当て面１４Ａと下側突き当て面１５Ａが突き当たり展開の停止が行われ、下側１１のフロント１２とリアカバー１３の嵌合部、上側１０のフロント１２とリアカバー１３の嵌合部に負荷がかかる。
【０００９】
このため、長時間使用を想定して、折り畳み、展開の繰り返しの加速度試験を行い、下側１１のフロント１２とリアカバー１３の間に、上側１０のフロント１２とリアカバー１３の間に隙間の発生の有無を確認している。
折り畳み式携帯電話機の折り畳み状態から展開時に、図１４に示すように、上側１０に加わる負荷が折り畳み式携帯電話機の面に中心線位置で直角に作用すると、上側突き当て面１４Ａと下側突き当て面１５Ａが突き当たり、それ以上展開できないので展開の停止が行われる。
【００１０】
図１５は、想定していない環境で、乱暴な使用に対して、ヒンジ２０における下側１１のフロント１２とリアカバー１３の間、上側１０のフロント１２とリアカバー１３の間に隙間が生じる例を示す図である。
【００１１】
想定していない環境で、乱暴な使用として、上側突き当て面１４Ａと下側突き当て面１５Ａが突き当たっても、この突き当たりを無視し、さらに、展開しようとして、上側１０に負荷を加えることにより、上側突き当て面１４Ａと下側突き当て面１５Ａに過剰に集中した負荷を加え続けることになる。このため、本図に示すように、接触位置２２Ａでヒンジ２０における下側１１のフロント１２とリアカバー１３の間、接触位置２４Ａでヒンジ部２０における上側１０のフロント１２とリアカバー１３の間に隙間が生じることになる。
このようにヒンジ２０におけるフロント１２とリアカバー１３の嵌合部で発生する隙間は、前述のように、デザイン上好ましくなく、さらに、折り畳み式携帯電話機の商品性の劣化、水没（水の侵入）の原因となる。
【００１２】
このように、想定しない環境で、乱暴な使用に対する隙間発生の防止を以下に説明する。
図１６は本発明の前提となる別の折り畳み式携帯電話機の折り畳み状態の外観を示す斜視図である。
本図に示すように、図１３と比較して、下側１１の筐体端面１５に下側突き当てリブ３１、３２が設けられ、下側突き当てリブ３１、３２は筐体端面１５の長手方向に且つ長手方向の両側に位置する。
【００１３】
図１７は図１６における折り畳み式携帯電話機を折り畳み状態から展開する例を説明する図である。
本図（ａ）は折り畳み式携帯電話機の折り畳み状態を示し、本図（ｂ）は折り畳み状態のヒンジ２０付近の拡大図であり、本図（ｃ）は展開時のヒンジ２０付近の拡大図である。
【００１４】
折り畳み式携帯電話機の折り畳み状態から展開時に、筐体端面１４の上側突き当て面１４Ａと筐体端面１５の下側突き当て面１５Ａが突き当たる前に、筐体端面１４と下側突き当てリブ３１、３２が突き当たる。
これにより、想定しない環境で乱暴な使用に対して過剰な負荷がかかっても、筐体端面１４に対する下側突き当てリブ３１、３２に分散される。
【００１５】
このようにして、過剰な負荷が分散されるので、想定しない環境で、乱暴な使用に対する隙間発生を防止することが可能になる。
なお、折り畳み式携帯電話機の上側１０、下側１１のリアカバー１３はモールド成形される（プラスチック）部品で構成されている。
【００１６】
リアカバー１３は、金型にて射出成形されるが、デイリーの生産数が限られている。このため、金型をいくつも作製して、必要数量を確保するべく、複数型を起工し、上側１０、下側１１のリアカバー１３を製作している。
複数型を起工した場合、金型の組合わせのバラツキが発生するが、以下のように、調整される。
図１８は複数型を起工した場合の金型のバラツキを調整する例を説明する図であり、図１９は図１８（ｂ）を捕捉説明する図であり、図２０は図１８（ｃ）を捕捉説明する図であり、図２１は図１８（ｄ）、図１８（ｅ）を捕捉説明する図である。
【００１７】
本図１８（ａ）に示すように、上側１０、下側１１のリアカバー１３の金型にバラツキがないので、下側突き当てリブ３１、３２が筐体端面１４に同時に突き当たり、金型の調整は不要である。
本図１８（ｂ）に示すように、上側１０のリアカバー１３の金型にはバラツキがなく（図１９（ａ）参照）、下側１１のリアカバー１３の下側突き当てリブ３２に金型のバラツキがあり、下側突き当てリブ３２の高さが足りない場合には、下側突き当てリブ３１の筐体端面１４への突き当たり時に、下側突き当てリブ３２が筐体端面１４に届かなくなる（図１９（ｂ）参照）。
【００１８】
このため、想定しない環境で乱暴な使用に対して過剰な負荷が分散できず、下側突き当てリブ３１に集中し、結果として、前述のように、接触位置２２Ａで下側１１のフロント１２とリアカバー１３の間、接触位置２４Ａで上側１０のフロント１２とリアカバー１３の間に隙間が生じることになる。
【００１９】
この不具合の金型について突き当たり３２の高さ不足分を調整することにより、この不具合を解決することが可能である。
本図１８（ｃ）に示すように、上側１０のリアカバー１３の金型にはバラツキがなく（図２０（ａ）参照）、下側１１のリアカバー１３の下側突き当てリブ３１に金型のバラツキがあり、下側突き当てリブ３１が高すぎる場合には、前述と同様に、下側突き当てリブ３１の筐体端面１４への突き当たり時に、下側突き当てリブ３２が筐体端面１４に届かなくなる（図２０（ｂ）参照）。
【００２０】
このため、想定しない環境で乱暴な使用に対して過剰な負荷が分散できず、下側突き当てリブ３１に集中し、結果として、前述のように、接触位置２２Ａで下側１１のフロント１２とリアカバー１３の間、接触位置２４Ａで上側１０のフロント１２とリアカバー１３の間に隙間が生じることになる。
【００２１】
この不具合の金型について突き当たり３１の高すぎを調整することにより、この不具合を解決することが可能である。
本図１８（ｄ）に示すように、上側１０のリアカバー１３の金型にはバラツキがなく下側１１のリアカバー１３の筐体端面１５に金型のバラツキがあり、筐体端面１５が傾き、筐体端面１４との間隔に関し、下側突き当てリブ３１付近の間隔（Ｌａ）に対して下側突き当てリブ３２付近の間隔（Ｌｂ）が大きくなる場合（Ｌａ＜Ｌｂ）には、前述と同様に、下側突き当てリブ３１の筐体端面１４への突き当たり時に、下側突き当てリブ３２が筐体端面１４に届かなくなる（（図２１（ａ）、（ｂ）参照）。
【００２２】
このため、想定しない環境で乱暴な使用に対して過剰な負荷が分散できず、下側突き当てリブ３１に集中し、結果として、前述のように、接触位置２２Ａで下側１１のフロント１２とリアカバー１３の間、接触位置２４Ａで上側１０のフロント１２とリアカバー１３の間に隙間が生じることになる。
【００２３】
この不具合の金型について突き当たり３２を高く調整することにより、この不具合を解決することが可能である。
本図１８（ｅ）に示すように、上側１０のリアカバー１５の金型にはバラツキがなく、下側１１のリアカバー１４の筐体端面１５に金型のバラツキがあり、筐体端面１４が傾き、筐体端面１５との間隔に関し、下側突き当てリブ３１付近の間隔（Ｌａ）に対して下側突き当てリブ３２付近の間隔（Ｌｂ）が大きくなる場合（Ｌａ＜Ｌｂ）には、前述と同様に、下側突き当てリブ３１の筐体端面１４への突き当たり時に、下側突き当てリブ３２が筐体端面１４に届かなくなる（（図２１（ａ）、（ｂ）参照）。
【００２４】
このため、想定しない環境で乱暴な使用に対して過剰な負荷が分散できず、下側突き当てリブ３１に集中し、結果として、、前述のように、接触位置２２Ａで下側１１のフロント１２とリアカバー１３の間、接触位置２４Ａで上側１０のフロント１２とリアカバー１３の間に隙間が生じることになる。
【００２５】
筐体端面１４面が傾いた不具合の金型を直す調整は、金型の調整量が大きくなり、前述の下側突き当てリブ３１、３２の調整と比較して困難となるという問題が発生する。
この場合、筐体端面１５側の正常な金型を調整して筐体端面１５の下側突き当てリブ３２を高くすることが可能である。しかし、この調整は、筐体端面１４が正常な金型との組合わせに対しては、本図１８（ｃ）に示すような不具合な金型をわざわざ作ることになる。
【００２６】
【発明が解決しょうとする課題】
したがって、本発明は上記問題点に鑑みて、折り畳み状態から展開時の突き当て時の想定しない環境で乱暴な使用に対して過剰に集中する負荷を分散し、且つ複数形を起工する筐体の金型の突き当て調整を容易にし、筐体の金型の組み合わせのバラツキが減少でき、フロントとリアの筐体の嵌合のずれをなくすことを可能にする折り畳み式携帯電話機の構造を提供することを目的とする。
【００２７】
【課題を解決するための手段】
本発明は前記問題点を解決するために、筐体が嵌合して形成される上側、下側をヒンジで折り畳み展開する折り畳み式携帯電話機の構造において、展開時に前記上側に対向し、長手方向に伸張する前記下側の筐体端面の両側に位置する複数の下側突き当てリブと、前記下側に対向し、長手方向に伸張する前記上側の筐体端面の両側に位置し、前記複数の下側突き当てリブと対向し展開時にそれぞれ突き当たる複数の上側突き当てリブとを備えることを特徴とする折り畳み式携帯電話機の構造を提供する。
【００２８】
この手段により、想定しない環境で、乱暴な使用をしても、上側の筐体であるフロントとリアカバーの嵌合、下側の筐体であるフロントとリアカバーの嵌合にずれの発生を防止することが可能になる。
さらに、前記複数の下側突き当てリブを有する前記下側の筐体、前記複数の上側突き当てリブを有する前記上側の筐体が複数の金型の起工によりモールド成形されるようになるため、複数の下側突き当てリブ、複数の上側突き当てリブに突き当ての不具合があっても、金型について突き当てリブの部分だけ調整すればよいので突き当ての調整が容易となり、金型の組合わせのバラツキを減少できる。
【００２９】
さらに、前記下側の筐体、前記上側の筐体が複数の金型の起工によりモールド成形する場合に、前記複数の下側突き当てリブと前記複数の上側突き当てリブが展開時に突き当たらない突き当てリブが存在する場合には、突き当て量が不足し、又は突き当て量が過多である金型の突き当てリブを調整することが可能になるため、金型の突き当てリブ自体に不具合があっても、金型の突き当てリブの調整で不具合がなくなる。
【００３０】
さらに、前記複数の下側突き当てリブと前記複数の上側突き当てリブが折り畳み状態から展開時に突き当たらず、前記複数の下側突き当てリブ、前記複数の上側突き当てリブのリブ突き当て量に不足、過多がない場合には、対向する前記下側の筐体端面、前記上側の筐体端面のうち、大きい傾きを有する筐体端面側の金型について突き当てリブの突き当て量を調整することが可能になるため、金型の突き当てリブ自体に不具合がなく、突き当てリブが設けられる端面に不具合があっても、金型の突き当てリブの調整で不具合がなくなる。
【００３１】
さらに、前記複数の下側突き当てリブの面、前記複数の上側突き当てリブの面が合うように、金型の調整を行うことが可能になるため、突き当てリブの突き当て性が良くなる。
【００３２】
さらに、前記複数の下側突き当てリブ、前記複数の上側突き当てリブの大きさを可変にするために金型の調整を行うことが可能になるため、上下にリブが小さくでき、凸量も少なくなり、デザイン向上が可能になり、折り畳み式携帯電話機の小型化が可能になる。
【００３３】
さらに、前記複数の下側突き当てリブを有する前記下側の筐体、前記複数の上側突き当てリブを有する前記上側の筐体が切削により成形されるようになるため、突き当て調整が容易になる。
好ましくは、前記複数の下側突き当てリブ、前記複数の上側突き当てリブは前記筐体と同材料で形成され、さらに好ましくは、前記複数の下側突き当てリブ、前記複数の上側突き当てリブは前記筐体と異なる材料を組み合わせて形成され、さらに好ましくは、前記複数の下側突き当てリブ、前記複数の上側突き当てリブは、プラスチック、金属、ゴムの少なくとも１つから形成される。
【００３４】
この手段により、種々の材料を用いることにより、デザインの向上に寄与することが可能になる。
好ましくは、前記複数の下側突き当てリブ、前記複数の上側突き当てリブは、前記下側の筐体端面、前記上側の筐体端面の横手方向で折り畳み時に前記ヒンジから遠い方に形成される。さらに、好ましくは、前記複数の下側突き当てリブ、前記複数の上側突き当てリブは、前記下側の筐体端面、前記上側の筐体端面の横手方向で折り畳み時に前記ヒンジから近い方に形成される。
この手段により、デザイン上の配置要求に対応できる。
【００３５】
好ましくは、アンテナが前記下側に設けられる場合に、前記複数の下側突き当てリブのうち１つが前記アンテナの収容筐体部分に形成される。
この手段により、下側へのアンテナの配置替えに対して、下側突き当てリブの形成が可能になる。
好ましくは、電池パックが前記下側に設けられる場合に、前記複数の下側突き当てリブが電池パックに形成される。
【００３６】
この手段により、電池パック４２の配置によって、複数の下側突き当てリブを形成する下側の筐体端面を確保できない場合に有効である。
好ましくは、前記複数の下側突き当てリブ、前記複数の上側突き当てリブは、前記下側の筐体端面、前記上側の筐体端面の両側に対称に形成され、さらに、好ましくは、前記複数の下側突き当てリブ、前記複数の上側突き当てリブは、前記下側の筐体端面、前記上側の筐体端面の両側に非対称に形成され、さらに、好ましくは、前記複数の下側突き当てリブ、前記複数の上側突き当てリブは、前記下側の筐体端面、前記上側の筐体端面に等間隔に同数形成され、さらに、好ましくは、前記複数の下側突き当てリブ、前記複数の上側突き当てリブは、数の点で異なり、部分的に、１つのリブが２つのリブに跨って突き当たるように、形成される。
【００３７】
この手段により、下側突き当てリブ、上側突き当てリブの配置を多様にでき、デザインの要求に対応することが可能になる。
好ましくは、前記複数の下側突き当てリブ、前記複数の上側突き当てリブは、高さの点で異なり、対向する前記下側突き当てリブ、前記上側突き当てリブがそれぞれ突き当たったときに同じ高さになるように、形成され、さらに、好ましくは、前記複数の下側突き当てリブは、高さの点で異なり、前記複数の上側突き当てリブは、高さの点で異なり、対向する前記下側突き当てリブ、前記上側突き当てリブがそれぞれ突き当たったときに同じ高さになるように、形成される。
【００３８】
この手段により、下側突き当てリブ、上側突き当てリブの高さを多様にでき、デザインの要求に対応することが可能になる。
好ましくは、前記複数の下側突き当てリブ、前記複数の上側突き当てリブは、突き当て広さの点で異なるように、形成される。
この手段により、ばらつきによる位置ずれを吸収することが可能になる。
【００３９】
好ましくは、前記複数の下側突き当てリブ、前記複数の上側突き当てリブは、さらに、前記突き当て面角度を有するように形成される。
この手段により、突き当て角度を調整して、力のかかり具合を調整することが可能になる。
好ましくは、前記複数の下側突き当てリブ、前記複数の上側突き当てリブは、雲形形状に形成され、さらに、好ましくは、前記複数の下側突き当てリブ、前記複数の上側突き当てリブは、一方を山形の形状に、他方を谷形の形状に形成される。
【００４０】
この手段により、下側突き当てリブ、上側突き当てリブ自体を装飾物として扱いデザインの向上を図ることが可能になる。
好ましくは、前記複数の下側突き当てリブ、前記複数の上側突き当てリブは、一方を丸形の形状に、他方を丸みのある台形の形状に形成される。
この手段により、下側突き当てリブ、上側突き当てリブ自体を装飾物として扱い極力外形から目立たないような形状にしデザイン向上を図る。
【００４１】
好ましくは、前記複数の下側突き当てリブ、前記複数の上側突き当てリブは、四角形状又は円柱形状に形成され、さらに、好ましくは、前記複数の下側突き当てリブ、前記複数の上側突き当てリブは、円柱形状の場合、その先端部に円錐又は円柱の嵌合部を有し、四角柱の場合にはその先端部に円柱の嵌合部を有するように形成される。
この手段により、下側突き当てリブ、上側突き当てリブの形状が多様になり、デザインの要求に対応することが可能になる。
【００４２】
【発明の実施の形態】
以下、本発明の実施の形態について図面を参照して説明する。
図１は本発明に係る折り畳み式携帯電話機の折り畳み状態の外観を示す斜視図である。本図に示すように、図１６と比較して、上側１０の筐体端面１４に上側突き当てリブ３３、３４が設けられ、上側突き当てリブ３３、３４は、筐体端面１４の長手方向に且つ長手方向の両側に位置し、折り畳み式携帯電話機の折り畳み状態から展開時に、筐体端面１５の下側突き当てリブ３１、３２と対向しそれぞれに突き当たる。
【００４３】
図２は図１における折り畳み式携帯電話機を折り畳み状態から展開する例を説明する図である。
本図（ａ）は折り畳み式携帯電話機の折り畳み状態を示し、本図（ｂ）は折り畳み状態のヒンジ２０付近の拡大図であり、本図（ｃ）は展開時のヒンジ２０付近の拡大図である。
【００４４】
折り畳み式携帯電話機の折り畳み状態から展開時に、筐体端面１４と筐体端面１５が突き当たる前に、下側突き当てリブ３１、３２と上側突き当てリブ３３、３４がそれぞれ突き当たる。これにより、それ以上の展開の停止が行われる。
【００４５】
さらに、想定しない環境での乱暴な使用に対する過剰な負荷は、下側突き当てリブ３１と上側突き当てリブ３３との突き当て、下側突き当てリブ３２と上側突き当てリブ３４との突き当てに分散される。これにより、接触位置２２Ａ、２４Ａでの隙間発生を防止することが可能になる。
【００４６】
図３は複数型を起工した場合の金型のバラツキを調整する例を説明する図であり、図４は図３（ｂ）を捕捉説明する図であり、図５は図３（ｃ）を捕捉説明する図であり、図６は図３（ｄ）を捕捉説明する図である。
本図３（ａ）に示すように、上側１０、下側１１のリアカバー１３の金型にバラツキがないので、下側突き当てリブ３１、３２が上側突き当てリブ３３、３４に同時に突き当たり、金型の調整は不要である。
【００４７】
本図３（ｂ）に示すように、上側１０のリアカバー１３の金型にはバラツキがなく（図４（ａ）参照）、下側１１のリアカバー１３の下側突き当てリブ３２に金型のバラツキがあり、下側突き当てリブ３２の高さが足りない場合には、下側突き当てリブ３１の上側突き当てリブ３３への突き当たり時に、下側突き当てリブ３２が上側突き当てリブ３４に届かなくなる（図４（ｂ）参照）。
【００４８】
このため、想定しない環境で乱暴な使用に対して過剰な負荷が分散できず、下側突き当てリブ３１、上側突き当てリブ３３に集中し、結果として、前述のように、接触位置２２Ａで下側１１のフロント１２とリアカバー１３の間、接触位置２４Ａで上側１０のフロント１２とリアカバー１３の間に隙間が生じることになる。
【００４９】
この不具合の金型について突き当たり３２の高さ不足分を調整することにより、この不具合を解決することが可能である。
本図３（ｃ）に示すように、上側１０のリアカバー１３の金型にはバラツキがなく（図５（ａ）参照）、下側１１のリアカバー１３の下側突き当てリブ３１に金型のバラツキがあり、下側突き当てリブ３１が高すぎる場合には、前述と同様に、下側突き当てリブ３１の上側突き当てリブ３３への突き当たり時に、下側突き当てリブ３２が上側突き当てリブ３４に届かなくなる（図５（ｂ）参照）。
【００５０】
このため、想定しない環境で乱暴な使用に対して過剰な負荷が分散できず、下側突き当てリブ３１、上側突き当てリブ３３に集中し、結果として、前述のように、接触位置２２Ａで下側１１のフロント１２とリアカバー１３の間、接触位置２４Ａで上側１０のフロント１２とリアカバー１３の間に隙間が生じることになる。
【００５１】
この不具合の金型について突き当たり３１の高すぎを調整することにより、この不具合を解決することが可能である。
本図３（ｄ）に示すように、上側１０のリアカバー１３の金型にはバラツキがなく下側１１のリアカバー１３の筐体端面１５に金型のバラツキがあり、筐体端面１５が傾き、筐体端面１４との間隔に関し、下側突き当てリブ３１付近の間隔（Ｌａ）に対して下側突き当てリブ３２付近の間隔（Ｌｂ）が大きくなる場合（Ｌａ＜Ｌｂ）には、前述と同様に、下側突き当てリブ３１の上側突き当てリブ３３への突き当たり時に、下側突き当てリブ３２が上側突き当てリブ３４に届かなくなる（（図６（ａ）、（ｂ）参照）。
【００５２】
このため、想定しない環境で乱暴な使用に対して過剰な負荷が分散できず、下側突き当てリブ３１、上側突き当てリブ３３に集中し、結果として、前述のように、接触位置２２Ａで下側１１のフロント１２とリアカバー１３の間、接触位置２４Ａで上側１０のフロント１２とリアカバー１３の間に隙間が生じることになる。
【００５３】
この不具合の金型について突き当たり３２を高く調整することにより、この不具合を解決することが可能である。
本図３（ｅ）に示すように、上側１０のリアカバー１５の金型にはバラツキがなく、下側１１のリアカバー１４の筐体端面１５に金型のバラツキがあり、筐体端面１４が傾き、筐体端面１５との間隔に関し、下側突き当てリブ３１付近の間隔（Ｌａ）に対して下側突き当てリブ３２付近の間隔（Ｌｂ）が大きくなる場合（Ｌａ＜Ｌｂ）には、前述と同様に、下側突き当てリブ３１の下側突き当てリブ３３への突き当たり時に、下側突き当てリブ３２が上側突き当てリブ３４に届かなくなる。
【００５４】
このため、想定しない環境で乱暴な使用に対して過剰な負荷が分散できず、下側突き当てリブ３１、上側突き当てリブ３３に集中し、結果として、前述のように、接触位置２２Ａで下側１１のフロント１２とリアカバー１３の間、接触位置２４Ａで上側１０のフロント１２とリアカバー１３の間に隙間が生じることになる。
【００５５】
この不具合の金型について突き当たり３４を高く調整することにより、この不具合を解決することが可能である。
したがって、本発明によれば、下側突き当てリブ３１、３２、上側突き当てリブ３３、３４の高さを調整することにより、接触位置２２Ａで下側１１のフロント１２とリアカバー１３の間、接触位置２４Ａで上側１０のフロント１２とリアカバー１３の間に隙間の発生を防止することが可能になる。さらに、複数型の起工にも、不具合の金型の突き当てリブの高さを調整することにより、他の金型との組合わせが可能になるので、金型の調整が容易になる。
【００５６】
一例として、上側の金型を５つ作製し、下側の金型を５つ作製した場合、金型による組合わせは２５通りになり、この組合わせによるバラツキが生じるが、上下にリブをつけることによりリブの高さ調整が容易になり、金型の組合わせのバラツキを小さくすることが可能になる。
【００５７】
また、下側突き当てリブ３１、３２、上側突き当てリブ３３、３４の突き当たる面が、例えば、一方が斜めになっている場合には、その突き当たる面を平坦にし相互の面が合うように、金型を調整して、突き当たり性が高められる。
また、下側突き当てリブ３１、３２、上側突き当てリブ３３、３４を小さくするように金型を調整することにより、上下にリブを小さくでき、凸量が少なくなるので、デザイン向上が可能になり、折り畳み式携帯電話機の小型化が可能になる。
【００５８】
なお、下側突き当てリブ３１、３２、上側突き当てリブ３３、３４の成形は金型に限定されず、切削等の方法で行ってもよい。
その場合も、上下にリブを設けることにより、突き当て調整が容易となる。
さらに、下側突き当てリブ３１、３２、上側突き当てリブ３３、３４の材料はプラスチックに限らず、金属、ゴム等の素材で作成してもよい。
【００５９】
その場合、下側突き当てリブ３１、３２、上側突き当てリブ３３、３４は、フロント１２、リアカバー１３で構成する筐体と同材料で作成するだけでなく、異素材を組み合わせて作成することも可能である。
種々の材料を用いることにより、デザインの向上に寄与することが可能になる。
【００６０】
以上の説明では、下側突き当てリブ３１、３２、上側突き当てリブ３３、３４のみで展開時の荷重を支え、分散するようにしたが、これに限定されず、従来の技術で説明した図１３、図１５の上側突き当て面１４Ａ、下側突き当て面１５Ａの補助として用いてもよい。
次に、上側１０の筐体端面１４の長手方向に対称に位置する下側突き当てリブ３１、３２、下側１１の筐体端面１５の長手方向に対称に位置する上側突き当てリブ３３、３４は、筐体端面１４、１５の横手方向の中央に限定されない。
【００６１】
図７は図２における下側突き当てリブ３１、３２、上側突き当てリブ３３、３４の配置の第１変形例を示す図である。
本図（ａ）に示すように、下側突き当てリブ３１、３２、上側突き当てリブ３３、３４は、筐体端面１４、１５の横手方向の中央からはずれた、ヒンジ２０に近い方の内側にそれぞれ位置するようにしてもよい。
【００６２】
さらに、本図（ｂ）に示すように、下側突き当てリブ３１、３２、上側突き当てリブ３３、３４は、筐体端面１４、１５の横手方向の中央からはずれた、ヒンジ２０に遠い方の外側に位置するようにしてもよい。
このようにして、本発明の目的を達成しつつ、下側突き当てリブ３１、３２、上側突き当てリブ３３、３４に対するデザイン上の配置要求に対応できる。
【００６３】
図８は図２における下側突き当てリブ３１、３２、上側突き当てリブ３３、３４の配置の第２変形例を示す図である。
本図に示すように、アンテナ４１が下側１１のリアカバー１３側のヒンジ２０付近に配置され、アンテナ４１を収容する下側１１のリアカバー１３のふくらみ部のため、アンテナ４１の付近では下側１１の筐体端面１５の形成を確保することができない場合がある。
【００６４】
この場合には、アンテナ４１を収容するリアカバー１３のふくらみ部に下側突き当てリブ３１又は３２を設ける。
すなわち、アンテナ４１が下側突き当てリブ３２と反対側に設けられる場合には、下側突き当てリブ３１がアンテナ４１を収容するリアカバー１３のふくらみ部に設けられ、逆に、アンテナ４１が下側突き当てリブ３１と反対側に設けられる場合には、下側突き当てリブ３２がアンテナ４１を収容するリアカバー１３のふくらみ部に設けられる。
【００６５】
このように、アンテナ４１の配置替えに対して、柔軟に下側突き当てリブ３１、３２が設置される。
第２変形例の変形として、図７に示す電池パック４２の配置によっては、下側の筐体端面１５の形成を確保できない場合がある。
この場合には、電池パック４２に下側の筐体端面１５に相当する部分に下側突き当てリブ３１、３２を形成する。
【００６６】
このように、電池パック４２の配置替えに対して、柔軟に下側突き当てリブ３１、３２が設置される。
図９は、図２における下側突き当てリブ３１、３２、上側突き当てリブ３３、３４の配置の第３変形例を示す図である。
本図（ａ）に示すように、下側１１の筐体端面１５の長手方向に且つ長手方向の両側に下側突き当てリブ３１Ａ、３１Ｂ、下側突き当てリブ３２Ａ、３２Ｂが設けられ、上側１０の筐体端面１４の長手方向に且つ長手方向の両側に上側突き当てリブ３３Ａ、３３Ｂ、上側突き当てリブ３４Ａ、３４Ｂが設けられ、下側突き当てリブ３１Ａ、３１Ｂ、下側突き当てリブ３２Ａ、３２Ｂは上側突き当てリブ３３Ａ、３３Ｂ、上側突き当てリブ３４Ａ、３４Ｂにそれぞれ対向する。
【００６７】
このように、下側突き当て、上側突き当ての数を増加して対称に配置することにより、想定しない環境で乱暴な使用に対して過剰な負荷をさらに分散することが可能になる。
本図（ｂ）に示すように、下側１１の筐体端面１５の長手方向に且つ長手方向の両側に下側突き当てリブ３１Ａ、３１Ｂ、３１Ｃ、下側突き当てリブ３２Ａ、３２Ｂが設けられ、上側１０の筐体端面１４の長手方向に且つ長手方向の両側に上側突き当てリブ３３Ａ、３３Ｂ、３３Ｃ上側突き当てリブ３４Ａ、３４Ｂが設けられ、下側突き当てリブ３１Ａ、３１Ｂ、３１Ｃ、下側突き当てリブ３２Ａ、３２Ｂは上側突き当てリブ３３Ａ、３３Ｂ、３３Ｃ上側突き当てリブ３４Ａ、３４Ｂにそれぞれ対向する。
【００６８】
このように、下側突き当て、上側突き当ての数を増加し、非対称に配置しても同様の作用効果を得ることができる。
本図（ｃ）に示すように、下側１１の筐体端面１５の長手方向に且つ長手方向の両側に下側突き当てリブ３１、３２、長手方向の中央に下側突き当てリブ３５が設けられ、上側１０の筐体端面１４の長手方向に且つ長手方向の両側に上側突き当てリブ３３、３４、長手方向の中央に上側突き当てリブ３５が設けられ、下側突き当てリブ３１、３２、３５は上側突き当てリブ３３、３４、３６にそれぞれ対向する。
【００６９】
本図（ｄ）に示すように、下側１１の筐体端面１５の長手方向に、下側突き当てリブ３１Ａ、３１Ｂ、３１Ｃ、下側突き当て３２Ａ、３２Ｂ、３２Ｃが等間隔に設けられ、上側１０の筐体端面１４の長手方向に、上側突き当てリブ３３Ａ、３３Ｂ、３３Ｃ、上側突き当てリブ３４Ａ、３４Ｂ、３４Ｃが等間隔に設けられ、下側突き当てリブ３１Ａ、３１Ｂ、３１Ｃ、下側突き当て３２Ａ、３２Ｂ、３２Ｃは、上側突き当てリブ３３Ａ、３３Ｂ、３３Ｃ、上側突き当てリブ３４Ａ、３４Ｂ、３４Ｃにそれぞれ対向する。
【００７０】
このように、下側突き当て、上側突き当ての数を増加し、等間隔に配置しても同様の作用効果を得ることができる。
本図（ｅ）に示すように、下側１１の筐体端面１５の長手方向に且つ長手方向の両側に、下側突き当てリブ３１Ａ、３１Ｂ、下側突き当てリブ３２Ａ、３２Ｂが設けられ、上側１１の筐体端面１４の長手方向に且つ長手方向の両側に、上側突き当てリブ３３、３４が設けられ、下側突き当てリブ３１Ａ、、３１Ｂが上側突き当てリブ３３に対向し、下側突き当てリブ３２Ａ、、３２Ｂが上側突き当てリブ３４に対向する。
【００７１】
このように、下側突き当ての数と上側突き当ての数が相違していても、同様の作用効果を得ることができる。
本図（ｆ）に示すように、下側１１の筐体端面１５の長手方向に且つ長手方向の両側に、下側突き当てリブ３１Ａ、３１Ｂ、３１Ｃ、下側突き当てリブ３２Ａ、３２Ｂが設けられ、上側１１の筐体端面１４の長手方向に且つ長手方向の両側に、上側突き当てリブ３３Ａ、３３Ｂ、上側突き当てリブ３４Ａ、３４Ｂが設けられ、下側突き当てリブ３１Ａ、３１Ｂが上側突き当てリブ３３Ａに対向し、下側突き当てリブ３１Ｂ、３１Ｃが上側突き当てリブ３３Ｂに対向し、下側突き当てリブ３２Ａ、３２Ｂが上側突き当てリブ３４Ａ、３４Ｂにそれぞれ対向する。
【００７２】
このように、下側突き当ての数、上側突き当ての数が増え、下側突き当ての数と上側突き当ての数が相違していても、同様の作用効果を得ることができる。
図１０は、図２における下側突き当てリブ３１、３２、上側突き当てリブ３３、３４の配置の第４変形例を示す図である。
本図（ａ）に示すように、下側１１の筐体端面１５の長手方向に且つ長手方向の両側に位置する下側突き当てリブ３１、３２は、対向する上側１０の筐体端面１４の長手方向に且つ長手方向の両側に位置する上側突き当てリブ３３、３４よりも、高さの点で、大きくする。
【００７３】
上記とは逆に、本図（ｂ）に示すように、下側１１の筐体端面１５の長手方向に且つ長手方向の両側に位置する下側突き当てリブ３１、３２は、対向する上側１０の筐体端面１４の長手方向に且つ長手方向の両側に位置する上側突き当てリブ３３、３４よりも、高さの点で、小さくする。
このように、下側突き当て３１、３２の高さが上側突き当て３３、３４の高さよりも大きくても、又はこの逆であっても、突き当たったときの下側突き当て３１と上側突き当て３３の高さ、下側突き当て３２と上側突き当て３４の高さ同士が等しい場合には同様の作用効果を得ることができ、下側突き当てリブ３１、３２、上側突き当てリブ３３、３４の高さを多様にでき、デザインの要求に対応することが可能になる。
【００７４】
本図（ｃ）に示すように、下側１１の筐体端面１５の長手方向に且つ長手方向の片側に位置する下側突き当てリブ３１は、対向する上側１０の筐体端面１４の長手方向に且つ長手方向の片側に位置する上側突き当てリブ３３よりも、高さの点で、小さく、下側１１の筐体端面１５の長手方向に且つ長手方向の他の片側に位置する下側突き当てリブ３２は、対向する上側１０の筐体端面１４の長手方向に且つ長手方向の他の片側に位置する上側突き当てリブ３４よりも、高さの点で、大きくする。
【００７５】
このように、下側突き当て３１、３２の高さ同士が異なり、上側突き当て３３、３４の高さ同士が異なっていても、突き当たったときの下側突き当て３１と上側突き当て３３の高さ、下側突き当て３２と上側突き当て３４の高さ同士が等しい場合には、同様の作用効果を得ることができる。
本図（ｄ）に示すように、下側１１の筐体端面１５の長手方向に且つ長手方向の両側に位置する下側突き当てリブ３１、３２は、対向する上側１０の筐体端面１４の長手方向に且つ長手方向の両側に位置する上側突き当てリブ３３、３４よりも、高さの点で、大きく、下側１１の筐体端面１５の長手方向中央に位置する下側突き当てリブ３５は、対向する上側１０の筐体端面１４の長手方向中央に位置する上側突き当てリブ３６よりも、高さの点で、小さくする。
【００７６】
このように、下側突き当て３１、３２の高さが上側突き当て３３、３４の高さよりも大きく、下側突き当てリブ３５の高さが上側突き当てリブ３６の高さよりも小さくても、突き当たったときの下側突き当て３１と上側突き当て３３の高さ、下側突き当て３２と上側突き当て３４の高さ、下側突き当てリブ３５と上側突き当てリブ３６の高さ同士が等しい場合には、同様の作用効果を得ることができる。
【００７７】
本図（ｅ）に示すように、下側１１の筐体端面１５の長手方向に且つ長手方向の片側に位置する下側突き当てリブ３１は、対向する上側１０の筐体端面１４の長手方向に且つ長手方向の片側に位置する上側突き当てリブ３３よりも、高さの点で、小さく、下側１１の筐体端面１５の長手方向に且つ長手方向の他の片側に位置する下側突き当てリブ３２は、対向する上側１０の筐体端面１４の長手方向に且つ長手方向の他の片側に位置する上側突き当てリブ３４よりも、高さの点で、大きく、下側１１の筐体端面１５の長手方向中央に位置する下側突き当てリブ３５は、対向する上側１０の筐体端面１４の長手方向中央に位置する上側突き当てリブ３６と、高さの点で、同じにする。
【００７８】
このように、下側突き当て３１、３２、３５の高さ同士が異なり、上側突き当て３３、３４、３６の高さ同士が異なっていても、突き当たったときの下側突き当て３１と上側突き当て３４の高さ、下側突き当て３２と上側突き当て３５の高さ、下側突き当てリブ３５と上側突き当てリブ３６の高さ同士が等しい場合には、同様の作用効果を得ることができる。
図１１は、図２における下側突き当てリブ３１、３２、上側突き当てリブ３３、３４の配置の第５変形例を示す図である。
【００７９】
本図（ａ）に示すように、下側１１の筐体端面１５の長手方向に且つ長手方向の両側に位置する下側突き当てリブ３１、３２は、対向する上側１０の筐体端面１４の長手方向に且つ長手方向の両側に位置する上側突き当てリブ３３、３４に対して、広げた形状にする。
このように、さらに、上下で異なるように、下側突き当てリブ３１、３２を上側突き当てリブ３３、３４に対して形状を広げることにより、ばらつきによる位置ずれを吸収することが可能になる。
【００８０】
逆に、上側突き当てリブ３３、３４を下側突き当てリブ３１、３２に対して、広げた形状にしてもよい。同様の作用効果を得ることができる。
本図（ｂ）に示すように、下側突き当てリブ３１、３２、上側突き当て３４、３５は、上記のように、広げた形状に対して、さらに、突き当て角度を有する形状にしてもよい。
このように、さらに、下側突き当てリブ３１、３２、上側突き当てリブ３３、３４の突き当て角度を調整することにより、力のかかり具合を調整することが可能になる。
【００８１】
本図（ｃ）に示すように、下側１１の筐体端面１５の長手方向に且つ長手方向の片側に位置する下側突き当てリブ３１、３２を対称な雲形の形状にし、対向する上側１０の筐体端面１４の長手方向に且つ長手方向の片側に位置する上側突き当てリブ３３、３４を対称な雲形の形状にする。
このようにして、さらに、下側突き当てリブ３１、３２、上側突き当てリブ３３、３４の形状を異なる雲形の形状にし装飾物として扱いデザインの向上を図ることが可能になる。
【００８２】
本図（ｄ）に示すように、下側１１の筐体端面１５の長手方向に且つ長手方向に且つ長手方向の両側に位置する下側突き当てリブ３１、３２、長手方向の中央に位置する下側突き当てリブ３５を設け、下側突き当てリブ３１、３５、３２を全体として山形形状にする。対向する上側１０の筐体端面１４の長手方向に上側突き当てリブ３３Ａ、３３Ｂ、３３Ｃ、上側突き当てリブ３４Ａ、３４Ｂ、３４Ｃ、上側突き当てリブ３５Ａ、３５Ｂ、３５Ｃを等間隔に設け、上側突き当てリブ３３Ａ、３３Ｂ、３３Ｃ、３４Ａ、３４Ｂ、３４Ｃ、３５Ａ、３５Ｂ、３５Ｃを全体として谷形形状にする。
【００８３】
このようにして、さらに、下側突き当てリブ３１、３５、３２を山形形状にし、上側突き当てリブ３３Ａ、３３Ｂ、３３Ｃ、３４Ａ、３４Ｂ、３４Ｃ、３５Ａ、３５Ｂ、３５Ｃを谷形形状にし、装飾物として扱い、デザインの向上を図ることが可能になる。
本図（ｅ）に示すように、下側１１の筐体端面１５の長手方向に且つ長手方向の両側に位置する下側突き当てリブ３１、３２の形状は丸形であり、対向する上側１０の筐体端面１４の長手方向に上側突き当てリブ３３、３４の形状は丸みを帯びた台形である。
【００８４】
このようにして、さらに、下側突き当てリブ３１、３２、上側突き当てリブ３３、３４を極力外形から目立たないような形状にし、デザインの向上を図ることが可能になる。
図１２は、図２における下側突き当てリブ３１、３２、上側突き当てリブ３３、３４の形状の第６変形例を示す図である。
【００８５】
下側突き当てリブ３１、３２、上側突き当てリブ３３、３４の形状は、本図（ａ）に示すように、四角柱であり、本図（ｂ）に示すように、円柱を有し、本図（ｃ）示すように、一方に先端が円錐である円柱、他方に先端が円錐のくぼみである円柱であり、本図（ｄ）に示すように、一方に先端が四角柱である四角柱、他方に先端が四角柱の窪みである四角柱であり、本図（ｅ）に示すように、一方に先端が円柱である円柱、他方に先端が円柱のくぼみである円柱であってもよい。
このようにして、下側突き当てリブ３１、３２、上側突き当てリブ３３、３４は、種々の形状を持つことにより、展開時の荷重を支えると同時にデザインの向上を図ることが可能になる。
【００８６】
【発明の効果】
以上説明したように、展開時に上側に対向し、長手方向に伸張する下側の筐体端面の両側に位置する複数の下側突き当てリブと、下側に対向し、長手方向に伸張する上側の筐体端面の両側に位置し、複数の下側突き当てリブと対向し展開時にそれぞれ突き当たる複数の上側突き当てリブとを備えるようにしたので、想定しない環境で、乱暴な使用をしても、上側の筐体であるフロントとリアカバーの嵌合、下側の筐体であるフロントとリアカバーの嵌合にずれの発生を防止することが可能になる。
【００８７】
さらに、複数の下側突き当てリブを有する下側の筐体、複数の上側突き当てリブを有する上側の筐体が複数の金型の起工によりモールド成形されるようにしたので、複数の下側突き当てリブ、複数の上側突き当てリブに突き当ての不具合があっても、金型について突き当てリブの部分だけ調整すればよいので突き当ての調整が容易となり、金型の組合わせのバラツキを減少できる。
【００８８】
さらに、下側の筐体、上側の筐体が複数の金型の起工によりモールド成形する場合に、複数の下側突き当てリブと、複数の上側突き当てリブが展開時に突き当たらない突き当てリブが存在する場合には、突き当て量が不足し、又は突き当て量が過多である金型の突き当てリブを調整するようにしたので、金型の突き当てリブ自体に不具合があっても、金型の突き当てリブの調整で不具合がなくなる。さらに、複数の下側突き当てリブ、複数の上側突き当てリブの大きさを可変にするために金型の調整を行う。
【００８９】
この手段により、上下にリブが小さくでき、凸量も少なくなり、デザイン向上が可能になり、折り畳み式携帯電話機の小型化が可能になる。
さらに、上下に突き当てリブを付けることにより、リブを小さくでき、凸量も少なくでき、デザイン向上が可能になり、折り畳み式携帯電話機の小型化が可能になる。
【図面の簡単な説明】
【図１】本発明に係る折り畳み式携帯電話機の折り畳み状態の外観を示す斜視図である。
【図２】図１における折り畳み式携帯電話機を折り畳み状態から展開する例を説明する図である。
【図３】複数型を起工した場合の金型のバラツキを調整する例を説明する図である。
【図４】図３（ｂ）を捕捉説明する図である。
【図５】図３（ｃ）を捕捉説明する図である。
【図６】図３（ｄ）、図３（ｅ）を捕捉説明する図である。
【図７】図２における下側突き当てリブ３１、３２、上側突き当てリブ３３、３４の配置の第１変形例を示す図である。
【図８】図２における下側突き当てリブ３１、３２、上側突き当てリブ３３、３４の配置の第２変形例を示す図である。
【図９】図２における下側突き当てリブ３１、３２、上側突き当てリブ３３、３４の配置の第３変形例を示す図である。
【図１０】図２における下側突き当てリブ３１、３２、上側突き当てリブ３３、３４の配置の第４変形例を示す図である。
【図１１】図２における下側突き当てリブ３１、３２、上側突き当てリブ３３、３４の配置の第５変形例を示す図である。
【図１２】図２における下側突き当てリブ３１、３２、上側突き当てリブ３３、３４の形状の第６変形例を示す図である。
【図１３】本発明の前提となる折り畳み式携帯電話機の折り畳み状態の外観を示す斜視図である。
【図１４】図１３の折り畳み式携帯電話機の展開状態の外観を示す図である。
【図１５】想定していない環境で、乱暴な使用に対して、ヒンジ２０における下側１１のフロント１２とリアカバー１３の間、上側１０のフロント１２とリアカバー１３の間に隙間が生じる例を示す図である。
【図１６】本発明の前提となる別の折り畳み式携帯電話機の折り畳み状態の外観を示す斜視図である。
【図１７】図１６における折り畳み式携帯電話機を折り畳み状態から展開する例を説明する図である。
【図１８】複数型を起工した場合の金型のバラツキを調整する例を説明する図である。
【図１９】図１８（ｂ）を捕捉説明する図である。
【図２０】図１８（ｃ）を捕捉説明する図である。
【図２１】図１８（ｄ）、図１８（ｅ）を捕捉説明する図である。
【符号の説明】
１０…上側
１１…下側
１２…フロント
１３…リアカバー
１４、１５…筐体端面
２０…ヒンジ
２１、２２、２３…下側固定部
２４、２５…上側回転取付部
２２Ａ、２４Ａ…接触位置
３１、３２、３３、３４…突き当てリブ
４１…アンテナ
４２…電池パック
【図１】
0003583092.tif 000002
【図２】
0003583092.tif 000003
【図３】
0003583092.tif 000004
【図４】
0003583092.tif 000005
【図５】
0003583092.tif 000006
【図６】
0003583092.tif 000007
【図７】
0003583092.tif 000008
【図８】
0003583092.tif 000009
【図９】
0003583092.tif 000010
【図１０】
0003583092.tif 000011
【図１１】
0003583092.tif 000012
【図１２】
0003583092.tif 000013
【図１３】
0003583092.tif 000014
【図１４】
0003583092.tif 000015
【図１５】
0003583092.tif 000016
【図１６】
0003583092.tif 000017
【図１７】
0003583092.tif 000018
【図１８】
0003583092.tif 000019
【図１９】
0003583092.tif 000020
【図２０】
0003583092.tif 000021
【図２１】
0003583092.tif 000022